(57)【要約】【課題】外径が小さく、レンズ鏡筒への取付けが容易な絞り装置を提供する。【解決手段】この絞り装置１００は、回転部材１３０をベース１２０に対して回転させると、取付けネジ穴１２６を覆っていた絞り羽根が取付けネジ穴１２６を露出させる位置へ移動するとともに、取付けネジ穴１２６とネジ挿入穴１３３とが重なり合う。このとき、取付けネジ穴１２６の全体が露出する。この状態で、取付けネジを、ネジ挿入穴１３３から挿入し、取付けネジ穴１２６に螺合することで、絞り装置１００をレンズ鏡筒に取り付けることができるようになる。【選択図】図６
2014071361.tif 000002
【特許請求の範囲】
【請求項１】
複数の絞り羽根と、
光を通過させる開口が形成され、前記複数の絞り羽根を収容するベースと、
前記複数の絞り羽根と係合され、前記ベースに対して前記開口中心周りに回動させることにより前記複数の絞り羽根を開閉駆動させる回転部材と、
を備えた絞り装置であって、
前記ベースには、前記絞り装置をレンズ鏡筒に対してネジ止めする取付けネジ穴が形成され、
前記回転部材には、前記絞り装置をレンズ鏡筒に対してネジ止めする際に用いる取付けネジの頭部の直径よりも大きい直径を有するネジ挿入穴が形成されており、
前記回転部材を前記ベースに対して所定位置へ回転させることにより、前記取付けネジ穴を覆っていた前記絞り羽根が前記取付けネジ穴を露出させる位置へ移動するとともに、前記取付けネジ穴と前記ネジ挿入穴とが重なり合うことで、前記取付けネジ穴の全体が露出し、前記取付けネジを前記ネジ挿入穴から挿入して前記取付けネジ穴に螺合することが可能になることを特徴とする絞り装置。
【請求項２】
前記回転部材は、それぞれ前記複数の絞り羽根と係合する複数のカム溝を備え、
前記ネジ挿入穴は、隣接する前記カム溝に挟まれた、前記カム溝の最も外周側よりも内側の位置に形成されていることを特徴とする請求項１に記載の絞り装置。
【請求項３】
前記取付けネジ穴は、前記取付けネジが螺合されると、該取付けネジの頭部が完全に前記ベースに埋没する形状になっていることを特徴とする請求項１または２に記載の絞り装置。
【請求項４】
請求項１〜３のいずれか一つに記載の絞り装置を備えたことを特徴とするレンズ鏡筒。
【発明の詳細な説明】
【技術分野】
【０００１】
本発明は、撮像装置等に搭載されたレンズを透過する光量を調整する絞り装置、およびその絞り装置を備えたレンズ鏡筒に関する。
【背景技術】
【０００２】
従来より、撮像装置等に搭載されたレンズを透過する光量を調整するため、光軸を中心に、複数枚の絞り羽根を同方向へ同時に回転させ、絞り口径の大きさを制御する絞り装置がある（たとえば、特許文献１〜４を参照。）。
【先行技術文献】
【特許文献】
【０００３】
【特許文献１】実開平４−２２７２１号公報
【特許文献２】特開平９−２３０４２６号公報
【特許文献３】特開２００４−１５７２６９号公報
【特許文献４】特開２００９−２１６９２７号公報
【発明の概要】
【発明が解決しようとする課題】
【０００４】
上記各特許文献に記載のものをはじめ、従来の複数枚の絞り羽根を備えた絞り装置は、一般に、レンズ鏡筒への取り付けが容易になるように、絞り羽根や当該絞り羽根を回転駆動させるための部材等を装置内に組み込んでいる。
【０００５】
このような絞り装置の場合、レンズ鏡筒に取り付けるための取付け手段は、取付け手段に挿通されるネジの軸が絞り羽根の駆動に干渉しないような領域に設けられる。たとえば、絞り羽根が取り付けられるベースの外周縁の外側領域などに設けられる。
【０００６】
このため、従来の絞り装置では、ベースの外周縁の外側領域にレンズ鏡筒への取付け手段を設ける分、レンズの外径に比べ、装置の外径を大きくする必要があり、装置およびレンズ鏡筒の大型化を招いていた。
【０００７】
本発明は、上述した従来技術による問題点を解消するため、外径が小さく、レンズ鏡筒への取付けが容易な絞り装置を提供することを目的とする。また、当該絞り装置の取付けが可能で、外径の小さいレンズ鏡筒を提供することも本発明の目的である。
【課題を解決するための手段】
【０００８】
上述した課題を解決し、目的を達成するため、本発明にかかる絞り装置は、複数の絞り羽根と、光を通過させる開口が形成され、前記複数の絞り羽根を収容するベースと、前記複数の絞り羽根と係合され、前記ベースに対して前記開口中心周りに回動させることにより前記複数の絞り羽根を開閉駆動させる回転部材と、を備えた絞り装置であって、前記ベースには、前記絞り装置をレンズ鏡筒に対してネジ止めする取付けネジ穴が形成され、前記回転部材には、前記絞り装置をレンズ鏡筒に対してネジ止めする際に用いる取付けネジの頭部の直径よりも大きい直径を有するネジ挿入穴が形成されており、前記回転部材を前記ベースに対して所定位置へ回転させることにより、前記取付けネジ穴を覆っていた前記絞り羽根が前記取付けネジ穴を露出させる位置へ移動するとともに、前記取付けネジ穴と前記ネジ挿入穴とが重なり合うことで、前記取付けネジ穴の全体が露出し、前記取付けネジを前記ネジ挿入穴から挿入して前記取付けネジ穴に螺合することが可能になることを特徴とする。
【０００９】
さらに、本発明にかかる絞り装置は、前記発明において、前記回転部材は、それぞれ前記複数の絞り羽根と係合する複数のカム溝を備え、前記ネジ挿入穴は、隣接する前記カム溝に挟まれた、前記カム溝の最も外周側よりも内側の位置に形成されていることを特徴とする。
【００１０】
さらに、本発明にかかる絞り装置は、前記発明において、前記取付けネジ穴が、前記取付けネジが螺合されると、該取付けネジの頭部が完全に前記ベースに埋没する形状になっている。
【００１１】
また、本発明にかかるレンズ鏡筒は、前記発明の絞り装置を備えたことを特徴とする。
【発明の効果】
【００１２】
本発明の絞り装置によれば、装置をレンズ鏡筒へ取り付けるための取付けネジ穴を絞り羽根が収容されるベースに設けることで、装置の外径がレンズ鏡筒に搭載されるレンズの外径に比して必要以上に大型化することを回避することができる。また、この絞り装置は、絞り羽根を若干絞る方向に回転駆動させることで、装置をレンズ鏡筒に取り付けることが可能になる。これにより、外径が小さく、レンズ鏡筒への取付けが容易な絞り装置を提供することができるという効果を奏する。また、当該絞り装置の取付けが可能で、外径の小さいレンズ鏡筒を提供することができるという効果を奏する。
【図面の簡単な説明】
【００１３】
【図１】本発明の実施の形態にかかる絞り装置の分解斜視図である。
【図２】本発明の実施の形態にかかる絞り装置を構成する各部材の断面図である。
【図３】ベース１２０の構成を示す物体側から見た正面図である。
【図４】ベース１２０に複数の絞り羽根１１１が収容された状態を示す物体側から見た正面図である。
【図５−１】絞り装置１００の構成を示す物体側から見た正面図である。
【図５−２】図５−１に示すＡ−Ａ線に沿って切断し矢印方向に見た断面図である。
【図５−３】図５−２に示すＢ部の拡大図である。
【図６】絞り装置１００の動作を説明するための図である。
【図７】絞り装置１００のレンズ鏡筒への取付けを説明するための図である。
【図８−１】絞り装置１００がレンズ鏡筒に取付けられた状態を示す物体側から見た正面図である。
【図８−２】図８−１に示すＣ−Ｃ線に沿って切断し矢印方向に見た断面図である。
【図８−３】図８−２に示すＤ部の拡大図である。
【発明を実施するための形態】
【００１４】
以下、添付図面を参照して、本発明にかかる絞り装置およびレンズ鏡筒の好適な実施の形態を詳細に説明する。
【００１５】
図１は、本発明の実施の形態にかかる絞り装置の分解斜視図である。図１は、物体（不図示）側から見た状態を示している。また、図２は、本発明の実施の形態にかかる絞り装置を構成する各部材の断面図である。絞り装置１００は、各種撮像装置に搭載されたレンズの透過光量を制御するために用いられる。符号Ｏは、光軸（絞り装置１００の開口中心）を示す。
【００１６】
図１に示すように、絞り装置１００は、複数の絞り羽根１１１と、ベース１２０と、回転部材１３０と、位置規制部材１４０と、を備えており、複数の絞り羽根１１１がベース１２０と回転部材１３０との間に保持される。
【００１７】
図１に示すように、絞り羽根１１１を複数用いることで、透過光量を制御するための可変開口絞りを形成する。複数の絞り羽根１１１は、すべて同一形状であり、光軸Ｏ側に開口一部を形成する略弓形状の開口形成部１１１ａが形成されている。また、図２に示すように、絞り羽根１１１の像側の面には羽根ダボ１１１ｂが突設されている。羽根ダボ１１１ｂは、絞り羽根１１１をベース１２０に対して回動可能に取り付けるためのものである。一方、絞り羽根１１１の物体側の面（羽根ダボ１１１ｂとは反対側）には、開閉ダボ１１１ｃが突設されている。開閉ダボ１１１ｃは、回転部材１３０に対して絞り羽根１１１を係合させるためのものである。
【００１８】
図１、図２に示すように、ベース１２０の中央部には、光を通過させる略円形の開口１２１が形成されている。開口１２１は、複数の絞り羽根１１１で形成される可変開口絞りの最大径と同等かやや大きく形成されている。開口１２１の周囲には、複数の絞り羽根１１１を収容する凹部１２２が形成されている。さらに、凹部１２２の周囲には、回転部材１３０の外周縁が当接する第１段部１２３と、位置規制部材１４０の外周縁が当接する第２段部１２４と、が形成されている。また、凹部１２２には、絞り羽根１１１の枚数に対応する羽根ダボ穴１２５が形成されている。羽根ダボ穴１２５は、開口１２１の周方向に光軸Ｏを中心として等角度間隔に形成されている。この羽根ダボ穴１２５に絞り羽根１１１の羽根ダボ１１１ｂを挿通することにより、絞り羽根１１１の開閉駆動が可能になる。第１段部１２３の近傍には、取付けネジ穴１２６が形成されている。この取付けネジ穴１２６は、取り付けネジが螺合されると、完全にその頭部がベース１２０に埋没する形状（たとえば、段形状）になっている。
【００１９】
回転部材１３０は、ベース１２０との間に保持した複数の絞り羽根１１１を駆動するための駆動部材であり、その外周縁がベース１２０の第１段部１２３にベース１２０に対して回動可能に嵌合される。図１、図２に示すように、回転部材１３０の中央部には、光を通過させる略円形の開口１３１が形成されている。開口１３１は、ベース１２０の開口１２１と同等の大きさになっている。開口１３１の周囲には、逆Ｓ字状のカム溝１３２が複数形成されている。カム溝１３２は、すべて同じ形状であり、絞り羽根１１１の枚数と同数形成されている。各カム溝１３２は、それぞれの絞り羽根１１１の開閉ダボ１１１ｃと係合される。そして、隣接するカム溝１３２に挟まれた、カム溝１３２の最も外周側よりも内側の位置に、ネジ挿入穴１３３が形成されている。ネジ挿入穴１３３の直径は、絞り装置１００をレンズ鏡筒に取り付ける取付けネジの頭部の直径よりも若干大きくなっている。ネジ挿入穴１３３は、ベース１２０に形成された取付けネジ穴１２６と同数形成されている。各ネジ挿入穴１３３は、回転部材１３０がベース１２０に対して所定方向へ所定角度回転された場合、対応する取付けネジ穴１２６と重なり合うようになっている。
【００２０】
位置規制部材１４０は、円周の一部を欠くリング形状になっており、ベース１２０に嵌合された回転部材１３０が外れないようにして、複数の絞り羽根１１１および回転部材１３０の光軸Ｏ方向の位置を規制するためのものである。
【００２１】
次に、絞り装置１００の組み立て手順を説明する。図３は、ベース１２０の構成を示す物体側から見た正面図である。図４は、ベース１２０に複数の絞り羽根１１１が収容された状態を示す物体側から見た正面図である。図５−１は、絞り装置１００の構成を示す物体側から見た正面図である。図５−２は、図５−１に示すＡ−Ａ線に沿って切断し矢印方向に見た断面図である。図５−３は、図５−２に示すＢ部の拡大図である。
【００２２】
まず、図３に示すベース１２０の羽根ダボ穴１２５に対して、それぞれ絞り羽根１１１の羽根ダボ１１１ｂを挿通する。すべての羽根ダボ穴１２５に対して絞り羽根１１１の羽根ダボ１１１ｂを挿通することにより、ベース１２０に複数の絞り羽根１１１が収容される（図４）。次に、回転部材１３０のカム溝１３２にそれぞれ絞り羽根１１１の開閉ダボ１１１ｃを係合させながら、回転部材１３０の外周縁をベース１２０の第１段部１２３に嵌合させることで、回転部材１３０がベース１２０に取り付けられる。このようにすることで、回転部材１３０をベース１２０に対して回動させることにより、複数の絞り羽根１１１の開閉駆動が可能になる。最後に、回転部材１３０がベース１２０に取り付けられた状態で、位置規制部材１４０をベース１２０の第２段部１２４に合わせて取り付ける。このようにすることで、回転部材１３０がベース１２０から外れないようにして、複数の絞り羽根１１１および回転部材１３０の光軸Ｏ方向の位置を規制することができる（図５−１、図５−２、図５−３）。
【００２３】
次に、図５−１、図６を参照し、絞り装置１００の動作について説明する。図６は、絞り装置１００の動作を説明するための図である。同図は、物体側から見た状態を示している。
【００２４】
この絞り装置１００は、図５−１に示した最大開口時から、回転部材１３０をベース１２０に対して矢印アの方向に回転させると、各絞り羽根１１１の開閉ダボ１１１ｃが回転部材１３０のカム溝１３２に案内されて移動し、開口形成部１１１ａが開口中心の方向へ向かって移動することにより、絞り開口径を小さく絞ることができる。その後、回転部材１３０をベース１２０に対して矢印イの方向に回転させると、各絞り羽根１１１の開閉ダボ１１１ｃが回転部材１３０のカム溝１３２に案内されて元の方向へ移動し、開口形成部１１１ａが開口中心から離れる方向へ移動することにより、絞り開口径を開くことができる。なお、この絞り装置１００は、従来一般に用いられている駆動装置で駆動させることが可能である。
【００２５】
そして、図６に示すように、回転部材１３０をベース１２０に対して矢印アの方向に回転させると、取付けネジ穴１２６を覆っていた絞り羽根１１１が取付けネジ穴１２６を露出させる位置へ移動するとともに、取付けネジ穴１２６とネジ挿入穴１３３とが重なり合う。このとき、取付けネジ穴１２６の全体が露出する。この状態で、取付けネジを、ネジ挿入穴１３３から挿入し、取付けネジ穴１２６に螺合することで、絞り装置１００をレンズ鏡筒に取り付けることができるようになる。
【００２６】
次に、図７、図８−１、図８−２、図８−３を参照して、絞り装置１００のレンズ鏡筒への取付けを説明する。図７は、絞り装置１００のレンズ鏡筒への取付けを説明するための図である。図８−１は、絞り装置１００がレンズ鏡筒に取付けられた状態を示す物体側から見た正面図である。図８−２は、図８−１に示すＣ−Ｃ線に沿って切断し矢印方向に見た断面図である。図８−３は、図８−２に示すＤ部の拡大図である。
【００２７】
図７、図８−１に示すように、絞り装置１００は、レンズ鏡筒２００の物体側から挿入され、レンズ鏡筒２００に形成された絞り装置取付け部２０１に当て付けられる。このとき、絞り装置１００は、図６に示した状態、すなわち取付けネジ穴１２６とネジ挿入穴１３３とが重なり合い各取付けネジ穴１２６の全体が露出した状態で、絞り装置取付け部２０１に当て付けられる。そして、取付けネジ２１０をネジ挿入穴１３３から挿入し、取付けネジ２１０で取付けネジ穴１２６と絞り装置取付け部２０１に形成されたネジ穴２０２とを螺合することで、絞り装置１００がレンズ鏡筒２００に取り付けられる。
【００２８】
図８−２、図８−３に示すように、絞り装置１００がレンズ鏡筒２００に取り付けられた状態では、取付けネジ穴１２６に螺合された取付けネジ２１０の頭部が完全にベース１２０に埋没している。このため、絞り装置１００がレンズ鏡筒２００に取り付けられた後には、絞り羽根１１１が、取付けネジ２１０と干渉することがなく、スムーズな開閉駆動が可能になる。
【００２９】
一般に、複数の絞り羽根と、複数の絞り羽根を収容するベースと、このベースに対して回動させることにより複数の絞り羽根を開閉駆動させて絞り開口の大きさを制御する回転部材と、を備えた絞り装置では、複数の絞り羽根を開口中心の方向へ向けて移動させると、ベースの外周縁近傍に絞り羽根が存在しない空間ができる。
【００３０】
そこで、上述のように、本発明の実施の形態にかかる絞り装置１００では、絞り羽根１１１を絞る方向へ移動させた場合に生じる空間を利用して、絞り装置１００をレンズ鏡筒２００へ取り付けるための手段を講じている。すなわち、この絞り装置１００では、絞り装置１００をレンズ鏡筒２００へ取り付けるための取付けネジ穴１２６を絞り羽根１１１が収容されるベース１２０に設けることで、絞り装置１００の外径がレンズ鏡筒２００に搭載されるレンズの外径に比して必要以上に大型化することを回避し、装置の外径方向の小型化を図ることができる。
【００３１】
このことから、本発明は、絞り装置をレンズ鏡筒に取り付ける取付け手段が絞り羽根が取り付けられるベースの外周縁の外側領域などに設けられていた従来技術に比べ、絞り装置のより一層の外径方向の小型化を促進することができる。
【００３２】
また、本発明の実施の形態にかかる絞り装置１００は、前述のように、絞り羽根１１１を若干絞る方向に回転部材１３０を回転させることで、レンズ鏡筒２００への取付けが可能になる。このように、この絞り装置１００は、装置として組み立てられた後であっても、容易にレンズ鏡筒２００へ取り付けることができるという利点がある。
【００３３】
さらに、本発明の実施の形態にかかる絞り装置１００によれば、この絞り装置１００とともに用いるレンズ鏡筒２００の外径方向を小型化することが可能になる。
【００３４】
なお、この絞り装置１００に搭載される絞り羽根１１１の形状や、回転部材１３０の回転角度に対する絞り羽根１１１の移動量は、ともに用いられるレンズの外径や特性によって任意に調整することが可能である。
【産業上の利用可能性】
【００３５】
以上のように、本発明にかかる絞り装置およびレンズ鏡筒は、小型化が要求される各種撮像装置に有用であり、特に、レンズの外径方向の小型化が要求される撮像装置に適している。
【符号の説明】
【００３６】
１００  絞り装置
１１１  絞り羽根
１１１ａ  開口形成部
１１１ｂ  羽根ダボ
１１１ｃ  開閉ダボ
１２０  ベース
１２１，１３１  開口
１２２  凹部
１２３  第１段部
１２４  第２段部
１２５  羽根ダボ穴
１２６  取付けネジ穴
１３０  回転部材
１３２  カム溝
１３３  ネジ挿入穴
１４０  位置規制部材
２００  レンズ鏡筒
２０１  絞り装置取付け部
２０２  ネジ穴
２１０  取付けネジ
Ｏ  光軸
【図１】
2014071361.tif 000003
【図２】
2014071361.tif 000004
【図３】
2014071361.tif 000005
【図４】
2014071361.tif 000006
【図５−１】
2014071361.tif 000007
【図５−２】
2014071361.tif 000008
【図５−３】
2014071361.tif 000009
【図６】
2014071361.tif 000010
【図７】
2014071361.tif 000011
【図８−１】
2014071361.tif 000012
【図８−２】
2014071361.tif 000013
【図８−３】
2014071361.tif 000014